【手続補正書】
【提出日】平成15年6月26日(2003.6.26)
【手続補正１】
【補正対象書類名】明細書
【補正対象項目名】特許請求の範囲
【補正方法】変更
【補正の内容】
【特許請求の範囲】
【請求項１】
少なくとも１人の人物および別の人物のための保険証書を作成するために構成されたコンピュータシステムであって、
（ａ）少なくとも被保険者適性データおよび支払条件データを入力するための入力手段と、
（ｂ）少なくとも１つの被保険者適性基準を格納するためのデータ格納手段と、
（ｃ）入力被保険者適性データと該少なくとも１つの被保険者適性基準とを比較するための処理手段と、
（ｄ）該保険証書を出力するための出力手段であって、該入力手段において入力された支払条件データが、資格時間フレーム内で少なくとも２人の人物の少なくとも死亡に関連することを特徴とし、
該入力手段において入力された被保険者適性データは、少なくとも２人の人物の少なくとも各人の健康状態に関連し、該処理手段は、該被保険者適性データと該データ格納手段に格納された該少なくとも１つの被保険者適性基準とを比較し、該少なくとも２人の人物が該保険証書に対して被保険者適性があるかどうかを判定するように構成され、適性がある場合、該保険証書を作成し、該プロセッサは、該保険証書に対する保険料を計算するように構成され、該出力手段は該保険証書を出力することをさらに特徴とする、コンピュータシステム。
【請求項２】
前記処理手段は、前記入力手段から前記支払条件データを受信するように構成され、該処理手段は、該支払条件データを用いて、前記保険証書に対する保険料を計算するようにさらに構成される、請求項１に記載のシステム。
【請求項３】
前記処理手段は、前記保険証書の給付金を計算するようにさらに構成される、請求項１または２に記載のシステム。
【請求項４】
前記処理手段は、前記入力手段から前記支払条件データを受信するように構成され、該処理手段は、該支払条件データを用いて、前記保険証書に対する前記給付金を計算するようにさらに構成される、請求項１〜３のいずれか一つに記載のシステム。
【請求項５】
前記処理手段は、資格時間フレームを用いて前記保険証書に対してある給付金または前記給付金を計算するように構成される、請求項１〜４のいずれか一つに記載のシステム。
【請求項６】
前記処理手段は、前記入力手段において入力される前記支払条件データに基づいて、前記保険証書の少なくとも１人の保険金受給者に支払われるべき前記給付金の全てまたは一部に関する条件を判定するように構成される、請求項３〜５のいずれか一つに記載のシステム。
【請求項７】
前記保険証書の作成に対して保険料の支払を受信するための支払手段を含む、請求項１〜６のいずれか一つに記載のシステム。
【請求項８】
少なくとも１人の人物および別の人物に対する保険証書のための被保険者適性を評価するために構成されたサーバであって、
（ａ）  ネットワークを介して、少なくとも被保険者適性データおよび支払条件データを該サーバと遠隔端末との間で受信および送信するように構成されるデータ送受信装置と、
（ｂ）少なくとも１つの被保険者適性基準を格納するためのデータ格納手段と、
（ｃ）処理手段であって、該支払条件データが、資格時間フレーム内で少なくとも２人の人物の少なくとも死亡に関連することを特徴とし、該処理手段が、該遠隔端末から受信された被保険者適性データと、該少なくとも１つの被保険者適性基準とを比較するように構成され、該被保険者適性データは、少なくとも２人の人物の少なくとも各人の健康状態に関連し、該処理手段は、該被保険者適性データと該格納手段に格納された該少なくとも１つの被保険者適性基準とを比較し、該少なくとも２人の人物は、該保険証書に対して被保険者適性かどうかを判定するように構成され、該処理手段は、該保険証書に対する保険料を計算するようにさらに構成され、該送受信手段は、判定データおよび保険料データを該遠隔端末に送信するように動作可能である、処理手段と、
を含む、サーバ。
【請求項９】
前記処理手段は、前記データ送受信装置から前記支払条件データを受信するように構成され、前記処理手段は、該支払条件データを用いて前記保険証書に対する保険料を計算するようにさらに構成される、請求項８に記載のサーバ。
【請求項１０】
前記処理手段は、前記保険証書の給付金を計算するようにさらに構成される、請求項８または９に記載のサーバ。
【請求項１１】
前記処理手段は、前記送受信手段から前記支払条件データを受信するように構成され、前記処理手段は、前記支払条件データを用いて、前記保険証書に対してある給付金または前記給付金を計算するようにさらに構成される、請求項８〜１０のいずれか一つに記載のサーバ。
【請求項１２】
前記処理手段は、前記資格時間フレームを用いて前記保険証書に対する給付金を計算するように構成される、請求項８〜１１のいずれか一つに記載のサーバ。
【請求項１３】
前記処理手段は、前記データ送受信手段によって受信される前記支払条件データに基づいて、前記保険証書の少なくとも１人の保険金受給者に支払われるべき前記給付金の全てまたは一部に関する条件を判定するように構成される、請求項１０〜１２のいずれか一つに記載のサーバ。
【請求項１４】
前記ネットワークはインターネットである、請求項８〜１３のいずれか一つに記載のサーバ。
【請求項１５】
請求項８〜１４のいずれか一つに記載のサーバからネットワークにわたって送信および受信データを送信および受信するのに適した端末は、少なくとも被保険者適性データを入力するための入力手段を含む、端末。
【請求項１６】
前記入力手段は、前記保険証書に対する前記給付金を計算するために、前記サーバの該処理手段によって使用される少なくとも支払条件データを入力するように動作可能である、請求項１５に記載の端末。
【請求項１７】
前記入力手段は、前記サーバの処理手段によって使用される少なくとも支払条件データを入力し、該保険証書に対するある給付金または前記給付金を計算するように動作可能である、請求項１５または１６に記載の端末。
【請求項１８】
前記入力手段において入力される支払条件データが、資格時間フレーム内に前記少なくとも２人の人物の少なくとも死亡または恒久的障害に関連する、請求項１〜１７のいずれか一つに記載の端末。
【請求項１９】
前記入力手段において入力された資格時間フレームは、前記サーバのプロセッサによって使用されて、ある給付金または前記給付金を計算する、請求項１８に記載の端末。
【請求項２０】
前記サーバにおいて前記保険証書の作成のために、保険料の支払を受信する支払入力手段が設けられる、請求項１５〜１９のいずれか一つに記載の端末。
【請求項２１】
前記サーバにおいて作成され、該サーバから前記ネットワークにわたって転送された前記保険証書を出力する出力手段が設けられる、請求項１５〜２０のいずれか一つに記載の端末。
【請求項２２】
少なくとも１人の人物および別の人物に対する保険証書を生成するように構成されたコンピュータシステムであって、
（ａ）少なくとも識別データおよび請求支払条件データを入力するための入力手段と、
（ｂ）少なくとも１つの被保険者適性基準を格納するためのデータ格納手段と、
（ｃ）少なくとも２人の人物の適格を判定する処理手段と、
（ｄ）該保険証書を出力する出力手段であって、該入力手段において、入力された該支払条件データが資格時間フレーム内部で該少なくとも２人の人物の少なくとも死亡に関連することを特徴とし、
該処理手段が、該入力手段において入力される少なくとも前記識別データと該データ格納手段に格納された少なくとも１つの被保険者適性基準とを比較し、少なくとも２人の人物が該保険証書に対して被保険者適性であるかを判定するように構成され、被保険者適性である場合、該保険証書を作成し、該出力手段が該保険証書を出力するように構成される、出力手段と、
を含む、コンピュータシステム。
【請求項２３】
前記処理手段が前記出力手段から前記少なくとも２人の人物の少なくとも名前に関連する識別データを受信するように構成され、前記処理手段が該少なくとも２人の名前と少なくとも１人の被保険者適性基準とを比較するようにさらに構成される、請求項２２に記載のシステム。
【請求項２４】
前記入力手段は、前記少なくとも２人の人物に関連する被保険者適性データを受信するようにさらに構成される、請求項２２または２３に記載のシステム。
【請求項２５】
前記処理手段は、前記入力手段から前記被保険者適性データを受信するように構成され、該処理手段は、該被保険者適性データと前記少なくとも１つの被保険者適性基準とを比較して該少なくとも２人の人物が前記保険証書に対して被保険者適性であるかどうかを判定するように構成される、請求項１〜２４のいずれか一つに記載のシステム。
【請求項２６】
前記処理手段は、前記保険証書に対する保険料を計算するようにさらに構成される、請求項１〜２５のいずれか一つに記載のシステム。
【請求項２７】
前記処理手段は、前記入力手段から前記請求支払条件データを受信するように構成され、該請求支払条件データを使用して前記保険証書に対する保険料を計算する、請求項１〜２６のいずれか一つに記載のシステム。
【請求項２８】
前記処理手段は、前記保険証書の給付金を計算するようにさらに構成される、請求項１〜２７のいずれか一つに記載のシステム。
【請求項２９】
前記処理手段は、前記請求支払条件データを受信するように構成され、該請求支払条件データを使用して、前記保険証書のある給付金または前記給付金を計算するようにさらに構成される、請求項１〜２８のいずれか一つに記載のシステム。
【請求項３０】
前記処理手段は、前記資格時間フレームを使用して、前記保険証書のある給付金または前記給付金を計算するように構成される、請求項１〜２９のいずれか一つに記載のシステム。
【請求項３１】
前記処理手段は、前記入力手段において入力される前記支払条件データに基づいて、前記保険証書の少なくとも１人の保険金受給者に支払われるべき前記給付金の全てまたは一部に関する条件を判定するように構成される、請求項２８〜３０のいずれか一つに記載のシステム。
【請求項３２】
少なくとも１人の人物および別の人物に対する保険証書の給付金を生成するように構成されたコンピュータシステムであって、
（ａ）少なくとも識別データおよび請求支払条件データを入力するための入力手段と、
（ｂ）少なくとも１つの被保険者適性基準を格納するためのデータ格納手段と、
（ｃ）給付金支払のために、少なくとも２人の人物の被保険者適性を判定する処理手段と、
（ｄ）該給付金に対する認証を出力する出力手段であって、該入力手段において、入力された該請求識別データが少なくとも２人の人物の少なくとも識別に関連し、該入力手段において入力された該請求支払条件データが、該資格時間フレーム内で該少なくとも２人の人物の少なくとも死亡に関連することを特徴とし、
前記処理手段が、前記入力手段において入力される少なくとも該請求識別データおよび該請求支払条件データと、該データ格納手段に格納された少なくとも１つの被保険者適性基準とを比較し、該少なくとも２人の人物が該給付金に対して被保険者適性であるかを判定するように構成され、被保険者適性である場合、該保険証書を作成し、該出力手段が該保険証書を出力するようにさらに構成される、コンピュータシステム。
【請求項３３】
前記処理が前記入力手段から前記請求識別データおよび前記支払条件データを受信するように構成され、該請求識別データおよび該支払条件データを使用して、前記保険証書の給付金を計算するようにさらに構成される、請求項３２に記載のシステム。
【請求項３４】
請求項８〜１４のいずれか一つに記載のサーバと請求項１５〜２１のいずれか一つに記載の端末のいずれか一方または両方を含む、ネットワーク。
【請求項３５】
コンピュータシステム上で実行する場合、請求項１〜７のいずれか一つに記載のコンピュータシステムとしてプログラムに動作させる少なくとも命令のプロラムを含む、コンピュータ読み出し媒体。
【請求項３６】
サーバ上で実行する場合、請求項８〜１４のいずれか一つに記載のサーバとしてプログラムに動作させる少なくとも命令のプロラムを含む、コンピュータ読み出し媒体。
【請求項３７】
端末上で実行する場合、請求項１５〜２１のいずれか一つに記載の端末としてプログラムに動作させる少なくとも命令のプロラムを含む、コンピュータ読み出し媒体。
【請求項３８】
コンピュータシステム上で実行する場合、請求項２２〜３１のいずれか一つに記載のコンピュータシステムとしてプログラムに動作させる少なくとも命令のプロラムを含む、コンピュータ読み出し媒体。
【請求項３９】
コンピュータシステム上で実行する場合、請求項３２または３３に記載のコンピュータシステムとしてプログラムに動作させる少なくとも命令のプロラムを含む、コンピュータ読み出し媒体。